(57)【要約】【課題】一対の無端チェーンに取り付けられたクリップでフィルム（シート状物）の両側端部を把持し、無端チェーンを駆動してフィルムを移動させる機構を有するフィルム延伸機などのシート状物搬送装置において、磨耗により生じる金属粉を抑制し、シート状物への金属粉の付着を抑制する。【解決手段】クリップＣのクリップベース部５２が摺接するガイド溝２８の表面のうち、クリップベース部５２の側方から下方に亘る案内面２７ａと、クリップベース部５２の浮き上がりを規制する２６ａ押さえ面とに、第１供給手段６０および第２供給手段７０により、潤滑油を供給する。かつ、無端チェーン４０，４１を駆動するスプロケットにも、第３供給手段により、潤滑油を供給する。【選択図】図２
2012218832.tif 000002
【特許請求の範囲】
【請求項１】
一対のガイドレールと、スプロケットにより駆動され、各ガイドレールに沿って走行する一対の無端チェーンと、各無端チェーンに取り付けられたクリップとを備えたシート状物搬送装置であって、
前記クリップは、シート状物の側端部を把持する把持部を備えるクリップ本体と、前記無端チェーンに取り付けられるとともに、前記ガイドレールのガイド溝に摺接しつつ走行するクリップベース部とを有し、
前記ガイド溝には、前記クリップベース部の側方から下方に亘って位置し、前記クリップベース部の走行を規制する案内面と、前記クリップベース部の上方への浮き上がりを規制する押さえ面とが形成され、
前記案内面に潤滑油を供給する第１供給手段と、前記押さえ面に潤滑油を供給する第２供給手段と、前記スプロケットに潤滑油を供給する第３供給手段とが設けられたことを特徴とするシート状物搬送装置。
【発明の詳細な説明】
【技術分野】
【０００１】
本発明は、例えば樹脂フィルムなどのシート状物を幅方向に延伸しつつ搬送するフィルム延伸機などのシート状物搬送装置に関する。
【背景技術】
【０００２】
例えば樹脂フィルムなどのシート状物を幅方向に延伸しつつ搬送する延伸機として、一対の無端チェーンに取り付けられたクリップでシート状物の両側端部を把持し、無端チェーンをスプロケットにより駆動してシート状物を流れ方向に移動させるとともに、対向するクリップ間の距離を拡げることにより、シート状物を連続的に横延伸する（幅出し）、いわゆるテンター式の横延伸機が知られている（例えば特許文献１および２参照。）。
【０００３】
このような横延伸機などのシート状物搬送装置が具備するクリップは、シート状物を把持する把持部を備えたクリップ本体と、把持部よりも下方に形成されたクリップベース部とを有し、クリップベース部が無端チェーンに取り付けられるとともに、ガイドレールのガイド溝に嵌入され、走行するようになっている。
【先行技術文献】
【特許文献】
【０００４】
【特許文献１】特開昭５９−２１８８２０号公報
【特許文献２】特開昭５９−４８１２３号公報
【発明の概要】
【発明が解決しようとする課題】
【０００５】
しかしながら、このようなシート状物搬送装置の運転時には、クリップのクリップベース部、無端チェーン、ガイド溝などが互いに摺接するとともに、無端チェーンを構成する部材（例えば、ピンリンク、ローラリンクなど。）同士も摺接する。そのため、これらが磨耗して金属粉が発生し、金属粉がシート状物に付着し、シート状物の品質に悪影響を及ぼす場合があった。
金属粉の発生を抑制するためには、ガイドレールのガイド溝に潤滑油を供給する方法があるが、この方法を単に採用しても、金属粉の発生を充分に抑制することは困難であった。
【０００６】
本発明は上記事情に鑑みてなされたもので、金属粉の発生を充分に抑制して、シート状物への金属粉の付着を抑制できるシート状物搬送装置の提供を課題とする。
【課題を解決するための手段】
【０００７】
本発明者は鋭意検討した結果、ガイド溝の表面とスプロケットとに、潤滑油を供給することにより、金属粉の発生を効果的に抑制できることを見出し、本発明を完成するに至った。
本発明のシート状物搬送装置は、一対のガイドレールと、スプロケットにより駆動され、各ガイドレールに沿って走行する一対の無端チェーンと、各無端チェーンに取り付けられたクリップとを備えたシート状物搬送装置であって、前記クリップは、シート状物の側端部を把持する把持部を備えるクリップ本体と、前記無端チェーンに取り付けられるとともに、前記ガイドレールのガイド溝に摺接しつつ走行するクリップベース部とを有し、前記ガイド溝には、前記クリップベース部の側方から下方に亘って位置し、前記クリップベース部の走行を規制する案内面と、前記クリップベース部の上方への浮き上がりを規制する押さえ面とが形成され、前記案内面に潤滑油を供給する第１供給手段と、前記押さえ面に潤滑油を供給する第２供給手段と、前記スプロケットに潤滑油を供給する第３供給手段とが設けられたことを特徴とする。
【発明の効果】
【０００８】
本発明のシート状物搬送装置によれば、金属粉の発生を充分に抑制して、シート状物への金属粉の付着を抑制できる。
【図面の簡単な説明】
【０００９】
【図１】本発明の一実施形態であるフィルム横延伸機（シート状物搬送装置）を概略的に示す平面図である。
【図２】図１のフィルム横延伸機の要部を示す部分縦断面図である。
【図３】図１のフィルム横延伸機の第３供給手段を示す部分拡大平面図である。
【図４】第３供給手段を説明する構成図である。
【発明を実施するための形態】
【００１０】
以下、本発明のシート状物搬送装置として、フィルム延伸機を例示して詳細に説明する。
図１は、本発明の一実施形態であるフィルム横延伸機（以下、横延伸機という。）を概略的に示す平面図であり、この横延伸機１０は、一対のガイドレール２０，２１と、スプロケット３０，３１，３２，３３により駆動され、各ガイドレール２０，２１に沿って走行する一対の無端チェーン４０，４１と、各無端チェーン４０，４１に取り付けられた多数のクリップＣ，Ｃ，・・・とを備えている。
なお、図１では、多数のクリップＣ，Ｃ，・・・のうちの一部のみを図示している。
【００１１】
この横延伸機１０では、多数のクリップＣ，Ｃ，・・・が、水平配置されたフィルム（シート状物）Ｆの両側端部（幅方向の端部。）を把持した状態において、各無端チェーン４０，４１をスプロケット３０，３１，３２，３３により駆動して走行させ、フィルムＦを流れ方向（図中α方向。）に移動させ、搬送する。ここで一対のガイドレール２０，２１は、延伸ゾーンＳにおいて、互いの距離が徐々に大きくなるように配置されている。そのため、延伸ゾーンＳでは、対向するクリップＣ，Ｃ，・・・間の距離が拡がってフィルムＦが幅方向（図中β方向。）に引っ張られ、フィルムＦが連続的に横延伸されるようになっている。
【００１２】
各クリップＣ，Ｃ，・・・は、図２に示すように、フィルムＦを挟んで把持する把持部５１を有するクリップ本体５０と、無端チェーン４０，４１に取り付けられるクリップベース部５２とを有している。
クリップ本体５０は、把持部５１を支持する台座部５３を有し、この台座部５３の下方に、クリップベース部５２が設けられている。また、台座部５３には、クリップＣ，Ｃ，・・・の走行方向に対して把持部５１の先端側とは反対側において、水平方向に延出する延出片５４が形成されている。
【００１３】
クリップベース部５２は、上板５５および下板５６と、これらをつなぐ縦板５７とを備えた縦断面コ字状に形成され、上板５５と下板５６とを掛け渡すように垂設された連結ピンＰにより、無端チェーン４０，４１を軸支している。これにより、クリップベース部５２は、無端チェーン４０，４１に取り付けられている。そして、このクリップベース部５２が、ガイドレール２０，２１のガイド溝２８に上方より嵌入し、ガイド溝２８に沿って走行する。
【００１４】
なお、以下、クリップＣ，Ｃ，・・・の走行方向に対して把持部５１の先端側を「フィルム側」、延出片５４が形成された側を「外側」という場合がある。
【００１５】
ガイドレール２０，２１は、底部２３と、底部２３から立ち上がるフィルムＦ側の側壁部２４および外側の側壁部２５と、外側の側壁部２５の上部において、フィルムＦ側に向けて水平に延出する押さえ板２６とを有し、これらに囲まれた部分が、ガイド溝２８となっている。
ガイド溝２８において、フィルムＦ側の側壁部２４と底部２３の表面には、縦断面Ｌ字状に摺動板２７が配置されている。摺動板２７は、クリップベース部５２の側方から下方に亘って位置し、その表面は、クリップベース部５２の走行を規制する案内面２７ａとされている。クリップベース部５２は、この案内面２７ａに摺接しつつ走行する。
また、ガイド溝２８において、押さえ板２６の下面は、クリップＣ，Ｃ，・・・の台座部５３に形成された延出片５４を上方から押さえる押さえ面２６ａであり、押さえ面２６ａが延出片５４を押さえることにより、クリップベース部５２の走行時における上方への浮き上がりが抑制される。
【００１６】
そして、この例の横延伸機１０には、その運転時において、クリップベース部５２、無端チェーン４０，４１、ガイド溝２８などが互いに摺接したり、無端チェーン４０，４１を構成する部材同士が摺接したりすることに起因して発生する金属粉を抑制するために、潤滑油を供給する手段が設けられている。
具体的には、案内面２７ａの表面に潤滑油を供給する第１供給手段６０と、押さえ面２６ａの表面に潤滑油を供給する第２供給手段７０と、無端チェーン４０，４１を駆動するスプロケット３１，３３に潤滑油を供給する、図１に示す第３供給手段８０とが設けられている。
【００１７】
第１供給手段６０は、潤滑油を案内面２７ａの上部に供給する第１供給管６１を具備している。第１供給管６１は、その先端が案内面２７ａと面一になるように、摺動板２７の裏面側（案内面とは反対側の面。）から挿入配置されている。
第２供給手段７０は、潤滑油を押さえ面２６ａに供給する第２供給管７１を具備している。第２供給管７１は、その先端が押さえ面２６ａと面一になるように、押さえ板２６の上面側から挿入配置されている。
そして、この例では、第１供給管６１および第２供給管７１の上流側には潤滑油を貯蔵する給油タンク（図２おいては図示略。）が配置され、給油タンクの潤滑油が、第１供給管６１および第２供給管７１をそれぞれ経て、これらの各先端から、案内面２７ａと押さえ面２６ａとに供給されるようになっている。
【００１８】
第３供給手段８０は、この例では図１に示すように、４つのスプロケット３０，３１，３２，３３のうち、フィルムＦの流れ方向の下流側に位置する２つのスプロケット３１，３３に対して潤滑油を噴霧するように設けられている。
【００１９】
具体的には、図３にスプロケット３１および無端チェーン４０の部分拡大平面図を示して説明するように、第３供給手段８０は、先端から潤滑油を霧状に噴霧して、スプロケット３１の歯に付着させるミストノズル８１を具備している。
ミストノズル８１には、図４に示すように、給油タンク８２からの潤滑油が配管を経て供給されるようになっている。この例では、配管の途中に、該配管を２つに分岐するとともに、分岐された各ラインからの潤滑油の吐出量を調節する吐出量調整バルブ８３が設けられている。また、その下流には、分岐され、吐出量が調整された２つのラインの各潤滑油に対して、空気を混合するミキシングブロック８４が設けられている。各ミキシングブロック８４には、エアレギュレータ８５を経て空気が供給され、この空気の作用により、ミストノズル８１の先端から吐出される潤滑油が霧状とされる。
【００２０】
このような横延伸機１０を運転する場合には、図１に示すように、フィルムＦの一方の側端部を一方の無端チェーン４０に取り付けられたクリップＣ，Ｃ，・・・で把持し、他方の側端部を他方の無端チェーン４１に取り付けられたクリップＣ，Ｃ，・・・で把持する。そして、その状態で、各無端チェーン４０，４１をスプロケット３０，３１，３２，３３で駆動する。これにより、フィルムＦは水平方向に沿って図中α方向に移動、搬送されつつ、延伸ゾーンＳにおいて幅出しされ、横延伸される。
【００２１】
その間、第１供給手段６０、第２供給手段７０、第３供給手段８０のそれぞれにより、案内面２７ａ、押さえ面２６ａ、スプロケット３１，３３に対して、連続的または間欠的に潤滑油を供給する。
第１供給手段６０により供給された潤滑油は、案内面２７ａに沿って流下し、案内面２７ａとクリップベース部５２との間の摩擦を低減する。第２供給手段７０により供給された潤滑油は、押さえ面２６ａの表面に付着し、押さえ面２６ａと延出片５４との間の摩擦を低減する。第３供給手段８０により供給された潤滑油は、スプロケット３１，３３に付着した後、これらのスプロケット３１，３１により駆動される無端チェーン４０，４１にも移行し、無端チェーン４０，４１を構成する部材間の摩擦などを低減する。
【００２２】
このような横延伸機１０によれば、潤滑油を供給する手段として、案内面２７ａに潤滑油を供給する第１供給手段６０と、押さえ面２６ａに潤滑油を供給する第２供給手段７０と、スプロケット３１，３３に潤滑油を供給する第３供給手段８０とが設けられているため、クリップベース部５２、無端チェーン４０，４１、ガイド溝２８などが互いに摺接したり、無端チェーン４０，４１を構成する部材同士が摺接したりすることで発生する金属粉を効果的に抑制でき、金属粉の付着のない高品質なフィルムを提供できる。
【００２３】
なお、この例の第３供給手段８０は、４つのスプロケット３０，３１，３２，３３のうち、フィルムＦの流れ方向の下流側に位置する２つのスプロケット３１，３３に対して潤滑油を噴霧するように設けられているが、全てのスプロケット３０，３１，３２，３３に噴霧する形態でもよいし、フィルムＦの流れ方向の上流側に位置する２つのスプロケット３０，３２に噴霧する形態でもよい。
【００２４】
また、この例では、シート状物搬送装置の一例であるフィルム延伸機として横延伸機１０を例示したが、無端チェーンとしてパンタグラフ状のユニットを有するものなどを採用して、縦横の同時２軸延伸が可能とされた延伸機であってもよい。
さらには、シート状物搬送装置としては、フィルムを延伸しつつ搬送するフィルム延伸機に限定されず、各種シート状物を搬送する機構を有するものであれば、延伸機構を備えていなくてもよい。
また、シート状物としては、樹脂フィルムなどのフィルムの他、金属シート、紙、不織布なども挙げられる。
【符号の説明】
【００２５】
１０  フィルム横延伸機（シート状物搬送装置）
２０，２１  ガイドレール
２６ａ  押さえ面
２７ａ  案内面
２８  ガイド溝
３０，３１，３２，３３  スプロケット
４０，４１  無端チェーン
５１  把持部
５０  クリップ本体
５２  クリップベース部
６０  第１供給手段
７０  第２供給手段
８０  第３供給手段 
Ｃ  クリップ
Ｆ  フィルム（シート状物）
【図１】
2012218832.tif 000003
【図２】
2012218832.tif 000004
【図３】
2012218832.tif 000005
【図４】
2012218832.tif 000006